(57)【特許請求の範囲】
【請求項１】
受信機と、
地上デジタルテレビジョン放送におけるチャンネルサーチが行われるように前記受信機を制御する制御装置と
を具備し、
前記受信機は、
地上デジタルテレビジョン放送によるＴＳ（トランスポートストリーム）を受信し、前記ＴＳに含まれる複数のＴＳパケット（トランスポートストリームパケット）を１番目から最終番目までこの順に出力するチューナ復調部と、
前記チューナ復調部からのＴＳパケットが、前記地上デジタルテレビジョン放送の部分受信放送サービスに関与するＴＳパケットであるか否かを表す検出結果を生成して出力する放送サービスパケット検出部と、
前記放送サービスパケット検出部が前記チューナ復調部から１番目のＴＳパケットを受け取ったときに、カウントを開始するタイマー部と、
前記タイマー部のカウント値が閾値を超えるまでに、前記部分受信放送サービスに関与するＴＳパケットを表す前記検出結果が出力されない場合、前記ＴＳに前記部分受信放送サービスが存在しない旨を表す通知を前記制御装置に出力する部分受信サービス存在判断部と
を具備する地上デジタルテレビジョン放送受信システム。
【請求項２】
請求項１に記載の地上デジタルテレビジョン放送受信システムにおいて、
前記部分受信放送サービスに関与するＴＳパケットは、
指定のＰＩＤ（パケットＩＤ）以外のＰＩＤを有するＴＳパケットである
地上デジタルテレビジョン放送受信システム。
【請求項３】
請求項１に記載の地上デジタルテレビジョン放送受信システムにおいて、
前記部分受信放送サービスに関与するＴＳパケットは、
設定下限値より大きく設定上限値より小さいＰＩＤを有するＴＳパケットである
地上デジタルテレビジョン放送受信システム。
【請求項４】
請求項２に記載の地上デジタルテレビジョン放送受信システムにおいて、
前記部分受信放送サービスに関与するＴＳパケットは、
指定のＰＩＤ（パケットＩＤ）以外のＰＩＤを有し、且つ、ｔｒａｎｓｐｏｒｔ＿ｅｒｒｏｒ＿ｉｎｄｉｃａｔｏｒが０であるＴＳパケットである
地上デジタルテレビジョン放送受信システム。
【請求項５】
請求項３に記載の地上デジタルテレビジョン放送受信システムにおいて、
前記部分受信放送サービスに関与するＴＳパケットは、
設定下限値より大きく設定上限値より小さいＰＩＤを有し、且つ、ｔｒａｎｓｐｏｒｔ＿ｅｒｒｏｒ＿ｉｎｄｉｃａｔｏｒが０であるＴＳパケットである
地上デジタルテレビジョン放送受信システム。
【請求項６】
請求項４又は５に記載の地上デジタルテレビジョン放送受信システムにおいて、
前記チューナ復調部は、前記複数のＴＳパケットを１番目から最終番目までこの順に出力するときに、同期信号を前記放送サービスパケット検出部に出力し、
前記放送サービスパケット検出部は、前記同期信号に応じて、前記チューナ復調部からのＴＳパケットを受け取る
地上デジタルテレビジョン放送受信システム。
【請求項７】
請求項４又は５に記載の地上デジタルテレビジョン放送受信システムにおいて、
前記受信機は、
更に、
前記チューナ復調部からのＴＳパケットが、前記地上デジタルテレビジョン放送のＰＭＴ（ｐｒｏｇｒａｍ  ｍａｐ  ｔａｂｌｅ）を有するＴＳパケットであるか否かを表すＰＭＴ検出結果を生成して出力するＰＭＴ検出部と、
前記ＰＭＴ検出部が前記チューナ復調部から１番目のＴＳパケットを受け取ったときに、カウントを開始するＰＭＴタイマー部と
を具備し、
前記部分受信サービス存在判断部は、
前記タイマー部のカウント値が閾値を超える前に、前記部分受信放送サービスに関与するＴＳパケットを表す前記検出結果が出力されていても、前記ＰＭＴタイマー部のカウント値が閾値を超えるまでに、前記ＰＭＴを有するＴＳパケットを表す前記ＰＭＴ検出結果が出力されない場合、前記ＴＳに前記部分受信放送サービスが存在しない旨を表す通知を前記制御装置に出力する
地上デジタルテレビジョン放送受信システム。
【請求項８】
請求項７に記載の地上デジタルテレビジョン放送受信システムにおいて、
前記ＰＭＴを有するＴＳパケットは、
設定ＰＭＴ下限値より大きく設定ＰＭＴ上限値より小さいＰＩＤを有し、且つ、ｔｒａｎｓｐｏｒｔ＿ｅｒｒｏｒ＿ｉｎｄｉｃａｔｏｒが０であるＴＳパケットである
地上デジタルテレビジョン放送受信システム。
【請求項９】
請求項７又は８に記載の地上デジタルテレビジョン放送受信システムにおいて、
前記チューナ復調部は、前記複数のＴＳパケットを１番目から最終番目までこの順に出力するときに、同期信号を前記放送サービスパケット検出部と前記ＰＭＴ検出部に出力し、
前記放送サービスパケット検出部と前記ＰＭＴ検出部は、前記同期信号に応じて、前記チューナ復調部からのＴＳパケットを受け取る
地上デジタルテレビジョン放送受信システム。
【請求項１０】
地上デジタルテレビジョン放送におけるチャンネルサーチが行われるときに制御装置に制御されるコンピュータに備えられるコンピュータプログラムであって、
地上デジタルテレビジョン放送によるＴＳ（トランスポートストリーム）が受信されたとき、前記ＴＳに含まれる複数のＴＳパケット（トランスポートストリームパケット）を１番目から最終番目までこの順に出力するチューナ復調ステップと、
前記チューナ復調ステップからのＴＳパケットが、前記地上デジタルテレビジョン放送の部分受信放送サービスに関与するＴＳパケットであるか否かを表す検出結果を生成して出力する放送サービスパケット検出ステップと、
前記放送サービスパケット検出ステップが前記チューナ復調ステップから１番目のＴＳパケットを受け取ったときに、カウントを開始するタイマーステップと、
前記タイマーステップのカウント値が閾値を超えるまでに、前記部分受信放送サービスに関与するＴＳパケットを表す前記検出結果が出力されない場合、前記ＴＳに前記部分受信放送サービスが存在しない旨を表す通知を前記制御装置に出力する部分受信サービス存在判断ステップと
の各ステップを前記コンピュータに実行させる地上デジタルテレビジョン放送受信コンピュータプログラム。
【請求項１１】
請求項１０に記載の地上デジタルテレビジョン放送受信コンピュータプログラムにおいて、
前記部分受信放送サービスに関与するＴＳパケットは、
指定のＰＩＤ（パケットＩＤ）以外のＰＩＤを有するＴＳパケットである
地上デジタルテレビジョン放送受信コンピュータプログラム。
【請求項１２】
請求項１０に記載の地上デジタルテレビジョン放送受信コンピュータプログラムにおいて、
前記部分受信放送サービスに関与するＴＳパケットは、
設定下限値より大きく設定上限値より小さいＰＩＤを有するＴＳパケットである
地上デジタルテレビジョン放送受信コンピュータプログラム。
【請求項１３】
請求項１１に記載の地上デジタルテレビジョン放送受信コンピュータプログラムにおいて、
前記部分受信放送サービスに関与するＴＳパケットは、
指定のＰＩＤ（パケットＩＤ）以外のＰＩＤを有し、且つ、ｔｒａｎｓｐｏｒｔ＿ｅｒｒｏｒ＿ｉｎｄｉｃａｔｏｒが０であるＴＳパケットである
地上デジタルテレビジョン放送受信コンピュータプログラム。
【請求項１４】
請求項１２に記載の地上デジタルテレビジョン放送受信コンピュータプログラムにおいて、
前記部分受信放送サービスに関与するＴＳパケットは、
設定下限値より大きく設定上限値より小さいＰＩＤを有し、且つ、ｔｒａｎｓｐｏｒｔ＿ｅｒｒｏｒ＿ｉｎｄｉｃａｔｏｒが０であるＴＳパケットである
地上デジタルテレビジョン放送受信コンピュータプログラム。
【請求項１５】
請求項１３又は１４に記載の地上デジタルテレビジョン放送受信コンピュータプログラムにおいて、
前記チューナ復調ステップは、前記複数のＴＳパケットを１番目から最終番目までこの順に出力するときに、同期信号を出力するステップを更に含み、
前記放送サービスパケット検出ステップは、前記同期信号に応じて、前記チューナ復調ステップからのＴＳパケットを受け取るステップ
を更に含む地上デジタルテレビジョン放送受信コンピュータプログラム。
【請求項１６】
請求項１３又は１４に記載の地上デジタルテレビジョン放送受信コンピュータプログラムにおいて、
更に、
前記チューナ復調ステップからのＴＳパケットが、前記地上デジタルテレビジョン放送のＰＭＴ（ｐｒｏｇｒａｍ  ｍａｐ  ｔａｂｌｅ）を有するＴＳパケットであるか否かを表すＰＭＴ検出結果を生成して出力するＰＭＴ検出ステップと、
前記ＰＭＴ検出ステップが前記チューナ復調ステップから１番目のＴＳパケットを受け取ったときに、カウントを開始するＰＭＴタイマーステップと
の各ステップを前記コンピュータに実行させ、
前記部分受信サービス存在判断ステップは、
前記タイマーステップのカウント値が閾値を超える前に、前記部分受信放送サービスに関与するＴＳパケットを表す前記検出結果が出力されていても、前記ＰＭＴタイマーステップのカウント値が閾値を超えるまでに、前記ＰＭＴを有するＴＳパケットを表す前記ＰＭＴ検出結果が出力されない場合、前記ＴＳに前記部分受信放送サービスが存在しない旨を表す通知を前記制御装置に出力するステップ
を更に含む地上デジタルテレビジョン放送受信コンピュータプログラム。
【請求項１７】
請求項１６に記載の地上デジタルテレビジョン放送受信コンピュータプログラムにおいて、
前記ＰＭＴを有するＴＳパケットは、
設定ＰＭＴ下限値より大きく設定ＰＭＴ上限値より小さいＰＩＤを有し、且つ、ｔｒａｎｓｐｏｒｔ＿ｅｒｒｏｒ＿ｉｎｄｉｃａｔｏｒが０であるＴＳパケットである
地上デジタルテレビジョン放送受信コンピュータプログラム。
【請求項１８】
請求項１６又は１７に記載の地上デジタルテレビジョン放送受信コンピュータプログラムにおいて、
前記チューナ復調ステップは、前記複数のＴＳパケットを１番目から最終番目までこの順に出力するときに、同期信号を出力するステップを更に含み、
前記放送サービスパケット検出ステップと前記ＰＭＴ検出ステップは、前記同期信号に応じて、前記チューナ復調ステップからのＴＳパケットを受け取るステップ
を更に含む地上デジタルテレビジョン放送受信コンピュータプログラム。
【請求項１９】
地上デジタルテレビジョン放送におけるチャンネルサーチが行われるときに制御装置に制御される受信機であって、
地上デジタルテレビジョン放送によるＴＳ（トランスポートストリーム）を受信し、前記ＴＳに含まれる複数のＴＳパケット（トランスポートストリームパケット）を１番目から最終番目までこの順に出力するチューナ復調部と、
前記チューナ復調部からのＴＳパケットが、前記地上デジタルテレビジョン放送の部分受信放送サービスに関与するＴＳパケットであるか否かを表す検出結果を生成して出力する放送サービスパケット検出部と、
前記放送サービスパケット検出部が前記チューナ復調部から１番目のＴＳパケットを受け取ったときに、カウントを開始するタイマー部と、
前記タイマー部のカウント値が閾値を超えるまでに、前記部分受信放送サービスに関与するＴＳパケットを表す前記検出結果が出力されない場合、前記ＴＳに前記部分受信放送サービスが存在しない旨を表す通知を前記制御装置に出力する部分受信サービス存在判断部と
を具備する地上デジタルテレビジョン放送受信機。
【請求項２０】
請求項１９に記載の地上デジタルテレビジョン放送受信機において、
前記部分受信放送サービスに関与するＴＳパケットは、
指定のＰＩＤ（パケットＩＤ）以外のＰＩＤを有するＴＳパケットである
地上デジタルテレビジョン放送受信機。
【請求項２１】
請求項１９に記載の地上デジタルテレビジョン放送受信機において、
前記部分受信放送サービスに関与するＴＳパケットは、
設定下限値より大きく設定上限値より小さいＰＩＤを有するＴＳパケットである
地上デジタルテレビジョン放送受信機。
【請求項２２】
請求項２０に記載の地上デジタルテレビジョン放送受信機において、
前記部分受信放送サービスに関与するＴＳパケットは、
指定のＰＩＤ（パケットＩＤ）以外のＰＩＤを有し、且つ、ｔｒａｎｓｐｏｒｔ＿ｅｒｒｏｒ＿ｉｎｄｉｃａｔｏｒが０であるＴＳパケットである
地上デジタルテレビジョン放送受信機。
【請求項２３】
請求項２１に記載の地上デジタルテレビジョン放送受信機において、
前記部分受信放送サービスに関与するＴＳパケットは、
設定下限値より大きく設定上限値より小さいＰＩＤを有し、且つ、ｔｒａｎｓｐｏｒｔ＿ｅｒｒｏｒ＿ｉｎｄｉｃａｔｏｒが０であるＴＳパケットである
地上デジタルテレビジョン放送受信機。
【請求項２４】
請求項２２又は２３に記載の地上デジタルテレビジョン放送受信機において、
前記チューナ復調部は、前記複数のＴＳパケットを１番目から最終番目までこの順に出力するときに、同期信号を前記放送サービスパケット検出部に出力し、
前記放送サービスパケット検出部は、前記同期信号に応じて、前記チューナ復調部からのＴＳパケットを受け取る
地上デジタルテレビジョン放送受信機。
【請求項２５】
請求項２２又は２３に記載の地上デジタルテレビジョン放送受信機において、
更に、
前記チューナ復調部からのＴＳパケットが、前記地上デジタルテレビジョン放送のＰＭＴ（ｐｒｏｇｒａｍ  ｍａｐ  ｔａｂｌｅ）を有するＴＳパケットであるか否かを表すＰＭＴ検出結果を生成して出力するＰＭＴ検出部と、
前記ＰＭＴ検出部が前記チューナ復調部から１番目のＴＳパケットを受け取ったときに、カウントを開始するＰＭＴタイマー部と
を具備し、
前記部分受信サービス存在判断部は、
前記タイマー部のカウント値が閾値を超える前に、前記部分受信放送サービスに関与するＴＳパケットを表す前記検出結果が出力されていても、前記ＰＭＴタイマー部のカウント値が閾値を超えるまでに、前記ＰＭＴを有するＴＳパケットを表す前記ＰＭＴ検出結果が出力されない場合、前記ＴＳに前記部分受信放送サービスが存在しない旨を表す通知を前記制御装置に出力する
地上デジタルテレビジョン放送受信機。
【請求項２６】
請求項２５に記載の地上デジタルテレビジョン放送受信機において、
前記ＰＭＴを有するＴＳパケットは、
設定ＰＭＴ下限値より大きく設定ＰＭＴ上限値より小さいＰＩＤを有し、且つ、ｔｒａｎｓｐｏｒｔ＿ｅｒｒｏｒ＿ｉｎｄｉｃａｔｏｒが０であるＴＳパケットである
地上デジタルテレビジョン放送受信機。
【請求項２７】
請求項２５又は２６に記載の地上デジタルテレビジョン放送受信機において、
前記チューナ復調部は、前記複数のＴＳパケットを１番目から最終番目までこの順に出力するときに、同期信号を前記放送サービスパケット検出部と前記ＰＭＴ検出部に出力し、
前記放送サービスパケット検出部と前記ＰＭＴ検出部は、前記同期信号に応じて、前記チューナ復調部からのＴＳパケットを受け取る
地上デジタルテレビジョン放送受信機。
【発明の詳細な説明】
【技術分野】
【０００１】
本発明は、地上デジタルテレビジョン放送を受信する地上デジタルテレビジョン放送受信システムおよび受信機に関する。
【背景技術】
【０００２】
我が国において、地上デジタルテレビジョン放送による携帯端末向けのテレビ放送が計画されている。携帯端末を対象とするテレビ放送は、地上デジタルテレビジョン放送の部分受信サービスによって行われる。部分受信サービスは１つのチャンネルの帯域（６ＭＨｚ）を１／１３したものの１つ（セグメント）を使用して行われる。
【０００３】
地上デジタルテレビジョン放送の伝送データ構成はＭＰＥＧ２システムズのトランスポートストリームを使用している。
ＭＰＥＧ２システムズは、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）／ＩＥＣ（Ｉｎｔｅｒｎａｔｉｏｎａｌ  Ｅｌｅｃｔｒｏｔｅｃｈｎｉｃａｌ  ｃｏｍｍｉｓｓｉｏｎ）１３８１８−１として規格化されている。
トランスポートストリームは、圧縮した映像、音声に加えて番組配列情報を１８８バイト固定長のトランスポートストリームパケットに多重化され、送信される。
【０００４】
図１（イ）（ロ）は、ＴＳ（トランスポートストリーム）の構造を示す図である。
ＴＳ（トランスポートストリーム）は、図１（イ）に示されるように、ヘッダ（ｈｅａｄｅｒ）部とペイロード（ｐａｙｌｏａｄ）部から成る１８８バイト単位のＴＳパケットの列として形成されている。ヘッダ部は、ｓｙｎｃ＿ｂｙｔｅ（ビット数８）と、ｔｒａｎｓｐｏｒｔ＿ｅｒｒｏｒ＿ｉｎｄｉｃａｔｏｒ（ビット数１）と、ｐａｙ＿ｌｏａｄ＿ｕｎｉｔ＿ｓｔａｒｔ＿ｉｎｄｉｃａｔｏｒ（ビット数１）と、ｔｒａｎｓｐｏｒｔ＿ｐｒｉｏｒｉｔｙ（ビット数１）と、ＰＩＤ（ビット数１３）と、ｔｒａｎｓｐｏｒｔ＿ｓｃｒａｍｂｌｉｎｇ＿ｃｏｎｔｒｏｌ（ビット数２）と、ａｄａｐｔａｔｉｏｎ＿ｆｉｅｌｄ＿ｃｏｎｔｒｏｌ（ビット数２）と、ｃｏｎｔｉｎｕｉｔｙ＿ｃｏｕｎｔｅｒ（ビット数４）と、ａｄａｐｔａｔｉｏｎ＿ｆｉｅｌｄとを含んでいる。
【０００５】
図２は、ＴＳパケットのデータ構造を示す図である。
図２において、符号（イ）に示されるｔｒａｎｓｐｏｒｔ＿ｅｒｒｏｒ＿ｉｎｄｉｃａｔｏｒは、図１（ロ）に示されるｔｒａｎｓｐｏｒｔ＿ｅｒｒｏｒ＿ｉｎｄｉｃａｔｏｒ｛符号（ロ−１）参照｝に対応しており、符号（ロ）に示されるＰＩＤ（パケットＩＤ）は、図１（ロ）に示されるＰＩＤ｛符号（ロ−２）参照｝に対応している。
【０００６】
図３はＴＳの多重化モデルを示した図である。圧縮した映像、音声はデータ長が不等長のＰＥＳにパケット化され、さらにデータ長が等長のＴＳパケットにパケット化される。番組配列情報はデータ長が不等長のセクションにパケット化され、さらにデータ長が等長のＴＳパケットにパケット化される。ＴＳパケットを多重化したものがＴＳである。
【０００７】
図１（ロ）における符号（ロ−２）、図２における符号（ロ）に示されるＰＩＤは、１３ビットのフィールドでＴＳパケットのペイロードに配置されているデータの種類を判別するために用いられる。
【０００８】
ＩＳＯ／ＩＥＣ１３８１８−１における番組配列情報は、
１）放送番組に関連するＰＭＴ（後述）を伝送するＴＳパケットを識別するＰＩＤを指定するＰＡＴ（Ｐｒｏｇｒａｍ  Ａｓｓｏｃｉａｔｉｏｎ  Ｔａｂｌｅ）
２）有料放送に関連する情報を伝送するＴＳパケットを識別するＰＩＤを指定するＣＡＴ（Ｃｏｎｄｉｔｉｏｎａｌ  Ａｃｃｅｓｓ  Ｔａｂｌｅ）
３）放送番組を構成する符号化信号を伝送するＴＳパケットを識別するＰＩＤを指定するＰＭＴ（Ｐｒｏｇｒａｍ  Ｍａｐ  Ｔａｂｌｅ）
４）放送の変調方式などの物理的構成とネットワーク自身の特性を示すＮＩＴ（Ｎｅｔｗｏｒｋ  Ｉｎｆｏｒｍａｔｉｏｎ  Ｔａｂｌｅ）
が定義されている。この４つの情報は番組特定情報（ＰＳＩ：Ｐｒｏｇｒａｍ  Ｓｐｅｃｉｆｉｃ  Ｉｎｆｏｒｍａｔｉｏｎ）と呼ばれ、所要の番組を選択するために使用される。
【０００９】
そこで、ＩＳＯ／ＩＥＣ１３８１８−１では、ＰＩＤ＝０ｘ００００はＰＡＴ（Ｐｒｏｇｒａｍ  Ａｓｓｏｃｉａｓｉｏｎ  Ｔａｂｌｅ）、ＰＩＤ＝０ｘ０００１はＣＡＴ（Ｃｏｎｄｉｔｉｏｎａｌ  Ａｃｃｅｓｓ  Ｔａｂｌｅ）、ＰＩＤ＝０ｘ００１０はＮＩＴ（Ｎｅｔｗｏｒｋ  Ｉｎｆｏｒｍａｔｉｏｎ  Ｔａｂｌｅ）、ＰＩＤ＝０ｘ１ＦＦＦはヌルパケットとして予約されている。
さらに、我が国のデジタル放送の番組配列情報を規定している電波産業会（ＡＲＩＢ）のＳＴＤ−Ｂ１０｛社団法人  電波産業会著「デジタル放送に使用する番組配列情報標準規格（ＳＴＤ−Ｂ１０）」社団法人  電波産業会出版、２００４年１２月１４日（第４版）｝では、図４に示されるようなＰＩＤが番組配列情報を伝送するために予約されている。
そのため、圧縮した映像、音声が重畳された放送サービスに関与するＴＳパケットのＰＩＤは０ｘ００３０〜０ｘ１ＦＦＥの値がとられている。
【００１０】
地上デジタルテレビジョン放送での番組特定情報における値の範囲や送出間隔は、電波産業会のＴＲ−Ｂ１４｛社団法人  電波産業会著「地上デジタルテレビジョン放送運用規定（ＴＲ−Ｂ１４）」社団法人  電波産業会出版、２００５年５月２６日（第２．４版）｝の第四編で定義されている。
ＴＲ−Ｂ１４第四編では１送出マスター（放送局）が１つのネットワークを構成し、１つのネットワークが１ＴＳになると定義されている。さらに、当該ネットワークのＴＳに他のネットワークの番組特定情報は伝送しない規格になっている。
【００１１】
そのため、地上デジタルテレビジョン放送の受信機では、ユーザがその放送を購入した直後、受信周波数を変更しながら受信可能なサービスが存在しているか確認する必要がある。動作のガイドラインはＴＲ−Ｂ１４第二編に記載されている。
携帯端末では、ユーザが上記放送を購入した直後以外に受信地域を移動した際にも受信周波数を変更しながら受信可能なサービスが存在しているか確認する必要がある。
【００１２】
地上デジタルテレビジョン放送はＴＳパケット複数個含むデータのグループ（以下データセグメント）単位で構成され、伝送符号化が施される。伝送符号化の際にデータセグメントを伝送パラメータの異なる複数の階層伝送が行える。階層ごとにキャリア変調方式、内符号の符号化率、時間インターリーブ長を設定できる。伝送可能な階層数は最大３である。
【００１３】
図５は、データセグメントを２階層に設定し、１セグメントで部分受信サービスを行う時のデータセグメントの構成と伝送スペクトルを示している。図５に示されるように、部分受信サービスは１つのセグメントが使用され、ＯＦＤＭ（直交周波数分割多重；Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調が施されたときに周波数帯域の中央に配置され、他の１２セグメントの受信より所要ＣＮが低くなるようキャリア変調、誤り訂正符号が選択されている。
【００１４】
ただし、ＴＲ−Ｂ１４第四編では１送出マスター（放送局）が１つのネットワークを構成し、１つのネットワークが１ＴＳになると定義されているため、階層ごとに番組配列情報を伝送して、１つの階層が１つのＴＳになる構成をとっておらず、全ての階層のセグメントのＴＳパケットがそろって１つのＴＳになる。
部分受信サービスは１セグメントのみ使用して行うサービスであり、ＴＲ−Ｂ１４第七編のＰＡＴの送出階層の規定により、部分受信を行うセグメントにはＰＡＴが送出されない。部分受信では番組配列情報のなかのＰＡＴが欠落したＴＳの一部を受信することになる。
【００１５】
図６は、部分受信用のＰＭＴのＰＩＤを示す一覧である。地上デジタル放送の部分受信サービスの存在の判断は、ＴＳパケットからＮＩＴ（ｎｅｔｗｏｒｋ  ｉｎｆｏｒｍａｔｉｏｎ  ｔａｂｌｅ）を取得し、ＮＩＴに配置される部分受信記述子の存在を確認し、部分受信記述子に記載されているサービス番号の下位３ビットからＰＭＴ（ｐｒｏｇｒａｍ  ｍａｐ  ｔａｂｌｅ）のＰＩＤを特定することにより行われる。さらにＴＳパケットからＰＭＴ（ｐｒｏｇｒａｍ  ｍａｐ  ｔａｂｌｅ）を取得して部分受信サービスの内容を把握する。
【００１６】
ＮＩＴの中に部分受信記述子が存在し、かつ部分受信記述子に記載されているサービス番号の下位３ビットから特定されたＰＩＤに対応するＰＭＴが存在する場合、部分受信サービスが存在すると判定する。ＮＩＴの中に部分受信記述子が存在しない場合や、部分受信記述子に記載されているサービス番号の下位３ビットから特定されたＰＩＤに対応するＰＭＴが存在しない場合は部分受信サービスが存在しないと判定する。
【００１７】
一般的に、ＢＳデジタル放送、ＣＳ放送では、ある周波数で受信できれば、他の受信可能な番組の周波数、変調方式、衛星位置を伝送するＮＩＴテーブルも含むＴＳパケットを受信している。そのため、１つの周波数で受信が行えると、他の受信可能な衛星、周波数、変調方式が特定でき、周波数を変更しながらサービスの存在を把握する必要はない。
【００１８】
これに対し、地上デジタルテレビジョン放送は放送局よりも大きな括り（サービス地域や系列等）をネットワークの単位とすることは、全てのＴＳの情報を集約、配信する仕組みが必要となり、番組開始時刻が地方や放送局により異なるため困難であり、１放送局が１ネットワークとなる構成となっている。
さらに、地上デジタルテレビジョン放送は、中継局が多数あり、中継局ごとに放送する周波数が異なるため、個々の放送局は、その中継局の周波数、変調方式を伝送するＮＩＴを作成するが、他の放送局が放送する中継局の周波数、変調方式を伝送するＮＩＴを作成しない。
【００１９】
そのため、地上デジタル放送のＮＩＴのテーブルＩＤは０ｘ４０のみ（自ネットワークに関する情報を伝送するテーブル）で、他のネットワークの情報は伝送されない。
したがって、ある周波数で部分受信サービスを行っていることが確認できた時、他の周波数で部分受信サービスを行っているかは把握できず、地域を移動したときには選局する周波数を変更しながら部分受信サービスを行っていることを確認する必要がある。
【００２０】
ＴＲ−Ｂ１４第四編によるとＮＩＴの送出周期は最小間隔１秒、最大間隔３秒、デフォルト１秒と規定されている。
部分受信記述子の記載が無いＮＩＴであっても部分受信サービスが存在しないと判定するには最小でも１秒かかる。
このように、部分受信サービスの有無を判定する判定処理に時間がかかってしまっては、チャンネルサーチを迅速に行うことができない。チャンネルサーチを従来｛ＮＩＴの再送周期（最大５秒）｝よりも迅速に行うことが望まれる。
【００２１】
デジタルテレビジョン放送に関連する技術として、特開２００４−１２８７７５号公報にテレビ放送受信機能付きリモコン装置が開示されている（特許文献１参照）。このテレビ放送受信機能付きリモコン装置は、複数のセグメントから成るデジタル放送信号を受信する受信機を遠隔操作するリモコン装置である。テレビ放送受信機能付きリモコン装置は、前記受信機の遠隔操作と、放送番組の視聴とを切り換える切換手段と、前記切換手段の切り換えにより放送番組を視聴する場合、ユーザにより選局されたチャンネルの放送局から伝送されて来るデジタル放送信号から部分受信用のセグメントを抽出する抽出手段と、前記抽出手段で抽出したセグメントから音声情報・映像情報又はデータ放送の情報を復元する復元手段と、前記復元手段で復元した音声情報を音声として出力する出力手段と、前記復元手段で復元した映像情報又はデータ放送の情報を映像として再生する再生手段とを有することを特徴としている。これにより、テレビ放送受信機を遠隔操作するリモコン装置でテレビ放送番組を視聴できるようにする。
【００２２】
特開２００４−２００７６４号公報にＣＡＴＶデジタル変調システムが開示されている（特許文献２参照）。このＣＡＴＶデジタル変調システムは、デジタルテレビ放送を受信し、変調処理してＣＡＴＶ網へ再送信するヘッドエンド装置である。ＣＡＴＶデジタル変調システムは、デジタル変調装置に入力されるＭＰＥＧ−ＴＳ（トランスポート・ストリーム）からＳＩ（サービス・インフォメーション）情報中のＮＩＴ（ネットワーク・インフォメーション・テーブル）を検出すると共に、該ＮＩＴに含まれるケーブル分配システム記述子を検出し、該記述子の記述情報に基づいてデジタル変調装置の動作設定を行なうことを特徴としている。これにより、ＱＡＭ変調装置に入力されるＳＩ情報を利用してＱＡＭ変調装置の設定を自動的に行なう。
【００２３】
特開２００４−２８９５０８号公報に電子機器が開示されている（特許文献３参照）。この電子機器は、地上デジタル放送に係る第１の電波を受信する第１の受信手段と、前記第１の受信手段で受信された前記第１の電波から第１のネットワークに関する情報を取得する第１の取得手段と、前記第１の受信手段で受信された前記第１の電波の周波数と異なるとともに、地上デジタル放送に係る第２の電波を受信する第２の受信手段と、前記第２の受信手段で受信された前記第２の電波から第２のネットワークに関する情報を取得する第２の取得手段と、を具備することを特徴としている。これにより、迅速にＰＳＩ／ＳＩのセクションを取得することが可能としている。
【００２４】
特開２００４−３４９９３２号公報にデジタル放送の補完視聴サービスサーバが開示されている（特許文献４参照）。このデジタル放送の補完視聴サービスサーバは、放送局からの携帯端末向けのデジタル放送を受信し、該デジタル放送のＴＳ（トランスポートストリーム）から補完視聴サービス用コンテンツを生成して蓄積すると共に、携帯受信機から通信ネットワークを介して前記補完視聴サービス用コンテンツの配信要求を受信した場合には、前記補完視聴サービス用コンテンツから前記配信要求に付されている要求時刻以降の補完視聴サービス用コンテンツを抽出し、抽出した補完視聴サービス用コンテンツを前記携帯受信機に対し前記通信ネットワークを介して配信する、ことを特徴としている。これにより、携帯端末向けデジタル放送を携帯端末で受信中に、受信エラー等の原因によって放送内容を視聴できなかった場合、補完視聴サービスサーバから携帯端末に対しダイジェストコンテンツ等を配信することにより、視聴できなかった放送内容を補完して視聴できるようにする。
【００２５】
【特許文献１】特開２００４−１２８７７５号公報（請求項１）
【特許文献２】特開２００４−２００７６４号公報（請求項１）
【特許文献３】特開２００４−２８９５０８号公報（請求項１）
【特許文献４】特開２００４−３４９９３２号公報（請求項１）
【発明の開示】
【発明が解決しようとする課題】
【００２６】
本発明の課題は、チャンネルサーチを従来よりも迅速に行うことができる地上デジタルテレビジョン放送受信システムおよび受信機を提供することにある。
【課題を解決するための手段】
【００２７】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００２８】
本発明の地上デジタルテレビジョン放送受信システムは、受信機（２）と、地上デジタルテレビジョン放送におけるチャンネルサーチが行われるように前記受信機（２）を制御する制御装置（３）とを具備している。
前記受信機（２）は、チューナ復調部（１０）と、放送サービスパケット検出部（２０）と、タイマー部（３０）と、部分受信サービス存在判断部（４０）とを具備している。
前記チューナ復調部（１０）は、地上デジタルテレビジョン放送によるＴＳ（トランスポートストリーム）を受信し、前記ＴＳに含まれる複数のＴＳパケット（トランスポートストリームパケット）を１番目から最終番目までこの順に出力する。
前記放送サービスパケット検出部（２０）は、前記チューナ復調部（１０）からのＴＳパケットが、前記地上デジタルテレビジョン放送の部分受信放送サービスに関与するＴＳパケットであるか否かを表す検出結果を生成して出力する。
前記タイマー部（３０）は、前記放送サービスパケット検出部（２０）が前記チューナ復調部（１０）から１番目のＴＳパケットを受け取ったときに、カウントを開始する。
前記部分受信サービス存在判断部（４０）は、前記タイマー部（３０）のカウント値が閾値を超えるまでに、前記部分受信放送サービスに関与するＴＳパケットを表す前記検出結果が出力されない場合、前記ＴＳに前記部分受信放送サービスが存在しない旨を表す通知を前記制御装置（３）に出力する。
【００２９】
本発明の地上デジタルテレビジョン放送受信システムにおいて、前記部分受信放送サービスに関与するＴＳパケットは、指定のＰＩＤ（パケットＩＤ）以外のＰＩＤを有するＴＳパケットである。
【００３０】
部分受信放送サービスの情報レートの最小値は２８０．８５ｋｂｐｓであり、その中で９０％以上は部分受信放送サービスに関与するＴＳパケットが含まれている。例えば、１０ＴＳパケットが伝送される時間中に、部分受信放送サービスに関与するＴＳパケットを検出する確率は、９９．９９９９９９９９％になる。そのため、タイマー部３０の閾値は１００ｍ秒程度でよい。
これにより、ＮＩＴの再送周期（最大５秒）を待たずに部分受信放送サービスが存在しないことを判断することができる。部分受信放送サービスの情報レートが３１２ｋｂｐｓである場合、１０ＴＳパケットを受信する時間は４８ｍ秒でＮＩＴの送出間隔１秒より早く部分受信放送サービスが行われていないことを判断することができる。
このように、本発明によれば、チャンネルサーチを従来｛ＮＩＴの再送周期（最大５秒）｝よりも迅速に行うことができる。
【００３１】
本発明の地上デジタルテレビジョン放送受信システムにおいて、前記部分受信放送サービスに関与するＴＳパケットは、設定下限値より大きく設定上限値より小さいＰＩＤを有するＴＳパケットである。
【００３２】
例えば、設定下限値を０ｘ００２９とし、設定上限値を０ｘ１ＦＦＦとした場合、放送サービスパケット検出部（２０）は、設定下限値より大きく設定上限値より小さいＰＩＤを有するＴＳパケットを表す検出結果を出力したとき、番組配列情報やヌルパケット（ＮＵＬＬパケット）以外のＴＳパケットを検出したことになる。
部分受信放送サービスの情報レートの最小値は２８０．８５ｋｂｐｓであり、その中で９０％以上は部分受信放送サービスに関与するＴＳパケットが含まれている。例えば、１０ＴＳパケットが伝送される時間中に、部分受信放送サービスに関与するＴＳパケットを検出する確率は、９９．９９９９９９９９％になる。また、部分受信放送サービスが行われていない場合、ＮＵＬＬパケットが９８．６９％含まれていて、部分受信放送サービスに関与するＴＳパケットは含まれていない。４ＴＳパケットが伝送される時間中に、部分受信放送サービスに関与するＴＳパケットを検出する確率は、０％になる。そのため、タイマー部３０の閾値は１００ｍ秒程度でよい。
これにより、ＮＩＴの再送周期（最大５秒）を待たずに部分受信放送サービスが存在しないことを判断することができる。部分受信放送サービスの情報レートが３１２ｋｂｐｓである場合、１０ＴＳパケットを受信する時間は４８ｍ秒でＮＩＴの送出間隔１秒より早く部分受信放送サービスが行われていないことを判断することができる。
このように、本発明によれば、チャンネルサーチを従来｛ＮＩＴの再送周期（最大５秒）｝よりも迅速に行うことができる。
【００３３】
本発明の地上デジタルテレビジョン放送受信システムにおいて、前記部分受信放送サービスに関与するＴＳパケットは、指定のＰＩＤ（パケットＩＤ）以外のＰＩＤを有し、且つ、ｔｒａｎｓｐｏｒｔ＿ｅｒｒｏｒ＿ｉｎｄｉｃａｔｏｒが０であるＴＳパケットである。
【００３４】
このように、本発明によれば、上記の効果に加えて、部分受信放送サービスに関与するＴＳパケットとしてビットエラーがないＴＳパケットを検出することができる。
【００３５】
本発明の地上デジタルテレビジョン放送受信システムにおいて、前記部分受信放送サービスに関与するＴＳパケットは、設定下限値より大きく設定上限値より小さいＰＩＤを有し、且つ、ｔｒａｎｓｐｏｒｔ＿ｅｒｒｏｒ＿ｉｎｄｉｃａｔｏｒが０であるＴＳパケットである。
【００３６】
このように、本発明によれば、上記の効果に加えて、部分受信放送サービスに関与するＴＳパケットとしてビットエラーがないＴＳパケットを検出することができる。
【００３７】
本発明の地上デジタルテレビジョン放送受信システムにおいて、前記チューナ復調部（１０）は、前記複数のＴＳパケットを１番目から最終番目までこの順に出力するときに、同期信号を前記放送サービスパケット検出部（２０）に出力する。
前記放送サービスパケット検出部（２０）は、前記同期信号に応じて、前記チューナ復調部（１０）からのＴＳパケットを受け取る。
【００３８】
このように、本発明によれば、上記の効果に加えて、入出力のタイミングを確実に合わせることができる。
【００３９】
本発明の地上デジタルテレビジョン放送受信システムにおいて、前記受信機（２）は、更に、ＰＭＴ検出部（５０）と、ＰＭＴタイマー部（６０）とを具備している。
前記ＰＭＴ検出部（５０）は、前記チューナ復調部（１０）からのＴＳパケットが、前記地上デジタルテレビジョン放送のＰＭＴ（ｐｒｏｇｒａｍ  ｍａｐ  ｔａｂｌｅ）を有するＴＳパケットであるか否かを表すＰＭＴ検出結果を生成して出力する。
前記ＰＭＴタイマー部（６０）は、前記ＰＭＴ検出部（５０）が前記チューナ復調部（１０）から１番目のＴＳパケットを受け取ったときに、カウントを開始する。
前記部分受信サービス存在判断部（４０）は、前記タイマー部（３０）のカウント値が閾値を超える前に、前記部分受信放送サービスに関与するＴＳパケットを表す前記検出結果が出力されていても、前記ＰＭＴタイマー部（６０）のカウント値が閾値を超えるまでに、前記ＰＭＴを有するＴＳパケットを表す前記ＰＭＴ検出結果が出力されない場合、前記ＴＳに前記部分受信放送サービスが存在しない旨を表す通知を前記制御装置（３）に出力する。
【００４０】
部分受信放送サービスの情報レートの最小値は２８０．８５ｋｂｐｓであり、その中で９０％以上は部分受信放送サービスに関与するＴＳパケットが含まれている。例えば、１０ＴＳパケットが伝送される時間中に、部分受信放送サービスに関与するＴＳパケットを検出する確率は、９９．９９９９９９９９％になる。そのため、タイマー部３０の閾値は１００ｍ秒程度でよい。
また、ＰＭＴタイマー部６０の閾値については部分受信サービスのＰＭＴの最大再送周期５００ｍ秒程度に設定しておく。ＰＭＴについては放送番組を構成する符号化信号を伝送するＴＳパケットのＰＩＤを指定しておく。ＰＭＴ検出部５０が検出できないときは部分受信放送サービスが行われていないことを確実に判断することができる。
これにより、ＮＩＴの再送周期（最大５秒）を待たずに部分受信放送サービスが存在しないことを確実に判断することができる。
このように、本発明によれば、上記の効果に加えて、チャンネルサーチを従来｛ＮＩＴの再送周期（最大５秒）｝よりも迅速に且つ確実に行うことができる。
【００４１】
本発明の地上デジタルテレビジョン放送受信システムにおいて、前記ＰＭＴを有するＴＳパケットは、設定ＰＭＴ下限値より大きく設定ＰＭＴ上限値より小さいＰＩＤを有し、且つ、ｔｒａｎｓｐｏｒｔ＿ｅｒｒｏｒ＿ｉｎｄｉｃａｔｏｒが０であるＴＳパケットである。
【００４２】
本発明の地上デジタルテレビジョン放送受信システムにおいて、前記チューナ復調部（１０）は、前記複数のＴＳパケットを１番目から最終番目までこの順に出力するときに、同期信号を前記放送サービスパケット検出部（２０）と前記ＰＭＴ検出部（５０）に出力する。
前記放送サービスパケット検出部（２０）と前記ＰＭＴ検出部（５０）は、前記同期信号に応じて、前記チューナ復調部（１０）からのＴＳパケットを受け取る。
【００４３】
本発明の地上デジタルテレビジョン放送受信コンピュータプログラムは、上記の受信機であるコンピュータ（２）に備えられるコンピュータプログラムである。
【００４４】
本発明の地上デジタルテレビジョン放送受信機（２）は、上記の受信機である。
【発明の効果】
【００４５】
以上により、本発明によれば、チャンネルサーチを従来よりも迅速に行うことができる。
【発明を実施するための最良の形態】
【００４６】
以下に添付図面を参照して、本発明の地上デジタルテレビジョン放送受信システムとして、携帯端末について詳細に説明する。携帯端末を対象とするテレビ放送は、地上デジタルテレビジョン放送の部分受信サービスによって行われる。部分受信サービスは１つのチャンネルの帯域（６ＭＨｚ）を１／１３したものの１つ（セグメント）を使用して行われる。
【００４７】
地上デジタルテレビジョン放送の伝送データ構成はＭＰＥＧ２システムズのトランスポートストリームを使用している。
ＭＰＥＧ２システムズは、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）／ＩＥＣ（Ｉｎｔｅｒｎａｔｉｏｎａｌ  Ｅｌｅｃｔｒｏｔｅｃｈｎｉｃａｌ  ｃｏｍｍｉｓｓｉｏｎ）１３８１８−１として規格化されている。
トランスポートストリームは、圧縮した映像、音声に加えて番組配列情報を１８８バイト固定長のトランスポートストリームパケットに多重化され、送信される。
【００４８】
図１（イ）（ロ）は、ＴＳ（トランスポートストリーム）の構造を示す図である。
ＴＳ（トランスポートストリーム）は、図１（イ）に示されるように、ヘッダ（ｈｅａｄｅｒ）部とペイロード（ｐａｙｌｏａｄ）部から成る１８８バイト単位のＴＳパケット（トランスポートストリームパケット）の列として形成されている。ヘッダ部は、ｓｙｎｃ＿ｂｙｔｅ（ビット数８）と、ｔｒａｎｓｐｏｒｔ＿ｅｒｒｏｒ＿ｉｎｄｉｃａｔｏｒ（ビット数１）と、ｐａｙ＿ｌｏａｄ＿ｕｎｉｔ＿ｓｔａｒｔ＿ｉｎｄｉｃａｔｏｒ（ビット数１）と、ｔｒａｎｓｐｏｒｔ＿ｐｒｉｏｒｉｔｙ（ビット数１）と、ＰＩＤ（ビット数１３）と、ｔｒａｎｓｐｏｒｔ＿ｓｃｒａｍｂｌｉｎｇ＿ｃｏｎｔｒｏｌ（ビット数２）と、ａｄａｐｔａｔｉｏｎ＿ｆｉｅｌｄ＿ｃｏｎｔｒｏｌ（ビット数２）と、ｃｏｎｔｉｎｕｉｔｙ＿ｃｏｕｎｔｅｒ（ビット数４）と、ａｄａｐｔａｔｉｏｎ＿ｆｉｅｌｄとを含んでいる。
【００４９】
図２は、ＴＳパケットのデータ構造を示す図である。
図２において、符号（イ）に示されるｔｒａｎｓｐｏｒｔ＿ｅｒｒｏｒ＿ｉｎｄｉｃａｔｏｒは、図１（ロ）に示されるｔｒａｎｓｐｏｒｔ＿ｅｒｒｏｒ＿ｉｎｄｉｃａｔｏｒ｛符号（ロ−１）参照｝に対応しており、符号（ロ）に示されるＰＩＤ（パケットＩＤ）は、図１（ロ）に示されるＰＩＤ｛符号（ロ−２）参照｝に対応している。
【００５０】
ｔｒａｎｓｐｏｒｔ＿ｅｒｒｏｒ＿ｉｎｄｉｃａｔｏｒは１ビットのフラグである。そのフラグが１に設定されている場合は少なくとも１ビットの訂正できないビットエラーがＴＳパケット（トランスポートストリームパケット）に存在していることを示している。
【００５１】
図３はＴＳの多重化モデルを示した図である。圧縮した映像、音声はデータ長が不等長のＰＥＳにパケット化され、さらにデータ長が等長のＴＳパケットにパケット化される。番組配列情報はデータ長が不等長のセクションにパケット化され、さらにデータ長が等長のＴＳパケットにパケット化される。ＴＳパケットを多重化したものがＴＳである。
【００５２】
図１（ロ）における符号（ロ−２）、図２における符号（ロ）に示されるＰＩＤは、１３ビットのフィールドでＴＳパケットのペイロードに配置されているデータの種類を判別するために用いられる。
【００５３】
ＩＳＯ／ＩＥＣ１３８１８−１における番組配列情報は、
１）放送番組に関連するＰＭＴ（後述）を伝送するＴＳパケットを識別するＰＩＤを指定するＰＡＴ（Ｐｒｏｇｒａｍ  Ａｓｓｏｃｉａｔｉｏｎ  Ｔａｂｌｅ）
２）有料放送に関連する情報を伝送するＴＳパケットを識別するＰＩＤを指定するＣＡＴ（Ｃｏｎｄｉｔｉｏｎａｌ  Ａｃｃｅｓｓ  Ｔａｂｌｅ）
３）放送番組を構成する符号化信号を伝送するＴＳパケットを識別するＰＩＤを指定するＰＭＴ（Ｐｒｏｇｒａｍ  Ｍａｐ  Ｔａｂｌｅ）
４）放送の変調方式などの物理的構成とネットワーク自身の特性を示すＮＩＴ（Ｎｅｔｗｏｒｋ  Ｉｎｆｏｒｍａｔｉｏｎ  Ｔａｂｌｅ）
が定義されている。この４つの情報は番組特定情報（ＰＳＩ：Ｐｒｏｇｒａｍ  Ｓｐｅｃｉｆｉｃ  Ｉｎｆｏｒｍａｔｉｏｎ）と呼ばれ、所要の番組を選択するために使用される。
【００５４】
そこで、ＩＳＯ／ＩＥＣ１３８１８−１では、ＰＩＤ＝０ｘ００００はＰＡＴ（Ｐｒｏｇｒａｍ  Ａｓｓｏｃｉａｓｉｏｎ  Ｔａｂｌｅ）、ＰＩＤ＝０ｘ０００１はＣＡＴ（Ｃｏｎｄｉｔｉｏｎａｌ  Ａｃｃｅｓｓ  Ｔａｂｌｅ）、ＰＩＤ＝０ｘ００１０はＮＩＴ（Ｎｅｔｗｏｒｋ  Ｉｎｆｏｒｍａｔｉｏｎ  Ｔａｂｌｅ）、ＰＩＤ＝０ｘ１ＦＦＦはヌルパケット（ＮＵＬＬパケット）として予約されている。
さらに、我が国のデジタル放送の番組配列情報を規定している電波産業会（ＡＲＩＢ）のＳＴＤ−Ｂ１０（非特許文献１）では、図４に示されるようなＰＩＤが番組配列情報を伝送するために予約されている。
そのため、圧縮した映像、音声が重畳された放送サービスに関与するＴＳパケットのＰＩＤは０ｘ００３０〜０ｘ１ＦＦＥの値がとられている。
【００５５】
地上デジタルテレビジョン放送での番組特定情報における値の範囲や送出間隔は、電波産業会のＴＲ−Ｂ１４（非特許文献２）第四編で定義されている。
ＴＲ−Ｂ１４第四編では１送出マスター（放送局）が１つのネットワークを構成し、１つのネットワークが１ＴＳになると定義されている。さらに、当該ネットワークのＴＳに他のネットワークの番組特定情報は伝送しない規格になっている。
【００５６】
そのため、地上デジタルテレビジョン放送の受信機では、ユーザがその放送を購入した直後、受信周波数を変更しながら受信可能なサービスが存在しているか確認する必要がある。動作のガイドラインはＴＲ−Ｂ１４第二編に記載されている。
携帯端末では、ユーザが上記放送を購入した直後以外に受信地域を移動した際にも受信周波数を変更しながら受信可能なサービスが存在しているか確認する必要がある。
【００５７】
地上デジタルテレビジョン放送はＴＳパケット複数個含むデータのグループ（以下データセグメント）単位で構成され、伝送符号化が施される。伝送符号化の際にデータセグメントを伝送パラメータの異なる複数の階層伝送が行える。階層ごとにキャリア変調方式、内符号の符号化率、時間インターリーブ長を設定できる。伝送可能な階層数は最大３である。
【００５８】
図５は、データセグメントを２階層に設定し、１セグメントで部分受信サービスを行う時のデータセグメントの構成と伝送スペクトルを示している。図５に示されるように、部分受信サービスは１つのセグメントが使用され、ＯＦＤＭ（直交周波数分割多重；Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調が施されたときに周波数帯域の中央に配置され、他の１２セグメントの受信より所要ＣＮが低くなるようキャリア変調、誤り訂正符号が選択されている。
【００５９】
ただし、ＴＲ−Ｂ１４第四編では１送出マスター（放送局）が１つのネットワークを構成し、１つのネットワークが１ＴＳになると定義されているため、階層ごとに１つのＴＳになっておらず、全ての階層のセグメントのＴＳパケットがそろって１つのＴＳになる。
部分受信サービスは１セグメントのみ使用して行うサービスであり、ＴＲ−Ｂ１４第七編のＰＡＴの送出階層の規定により、部分受信を行うセグメントにはＰＡＴが送出されない。部分受信ではＴＳの一部を受信することになる。
【００６０】
（第１実施形態）
図７は、本発明の第１実施形態による地上デジタルテレビジョン放送受信システムとして、携帯端末１の構成を示している。携帯端末１は、受信機２と、制御装置３とを具備している。受信機２は、制御装置３に接続されている。携帯端末１は、更に、制御装置３に接続された表示装置、入力装置（図示しない）を具備している。
制御装置３は、コンピュータであり、ＣＰＵ（Ｃｅｎｔｒａｌ  Ｐｒｏｃｅｓｓｉｎｇ  Ｕｎｉｔ）４、記憶装置５を具備している。記憶装置５には、ＣＰＵ４が実行するためのコンピュータプログラム６である制御部（制御プログラム）７が格納されている。制御装置３が起動されたとき、又は、ユーザが入力装置により操作したとき、制御部７は、所定の動作（処理）を行い、その実行結果を表示装置に表示する。
【００６１】
図８は、受信機２の構成を示すブロック図である。受信機２は、チューナＯＦＤＭ復調部１０と、放送サービスパケット検出部２０と、タイマー部３０と、部分受信サービス存在判断部４０とを具備している。チューナＯＦＤＭ復調部１０、放送サービスパケット検出部２０、タイマー部３０、部分受信サービス存在判断部４０は、ハードウェア（例示；回路）又はソフトウェア（例示；コンピュータプログラム）により実現される。
【００６２】
制御装置３の制御部７は、地上デジタルテレビジョン放送におけるチャンネルサーチが行われるように、受信機２を制御する。即ち、制御部７は、複数の周波数を認識し、複数の周波数の中の１つの周波数による放送電波を受信するようにチューナ（チューナＯＦＤＭ復調部１０）を制御する。
チューナＯＦＤＭ復調部１０は、地上デジタルテレビジョン放送によるＴＳ（トランスポートストリーム）を受信するチューナ（ハードウェア）と、ＯＦＤＭ復調部（ハードウェア又はソフトウェア）とを備えている。ＴＳは、ＯＦＤＭ（直交周波数分割多重；Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調により、１番目から最終番目までの複数のＴＳパケット（トランスポートストリームパケット）を含んでいる。チューナＯＦＤＭ復調部１０のＯＦＤＭ復調部は、ＴＳに対してＯＦＤＭ復調を施し、ＴＳに含まれる複数のＴＳパケットを１番目から最終番目までこの順に、放送サービスパケット検出部２０と制御装置３とに出力する。制御装置３の制御部７は、チューナＯＦＤＭ復調部１０からのＴＳパケットにより所定の処理を行う。
【００６３】
放送サービスパケット検出部２０は、チューナＯＦＤＭ復調部１０からのＴＳパケットが、部分受信放送サービスに関与するＴＳパケットであるか否かを表す検出結果を生成し、部分受信サービス存在判断部４０に出力する。
タイマー部３０は、放送サービスパケット検出部２０がチューナＯＦＤＭ復調部１０から１番目のＴＳパケットを受け取ったときに、カウントを開始する。
部分受信サービス存在判断部４０は、タイマー部３０のカウント値が閾値を超えるまでに、部分受信放送サービスに関与するＴＳパケットを表す検出結果が出力されない場合、ＴＳに部分受信放送サービスが存在しない旨を表す通知を制御装置３に出力する。制御装置３の制御部７は、この通知により所定の処理又はその一部を変更する。
【００６４】
［動作例１］
図９は、本発明の携帯端末１の動作として、動作例１を示すフローチャートである。
【００６５】
チューナＯＦＤＭ復調部１０は、地上デジタルテレビジョン放送によるＴＳを受信してＯＦＤＭ復調を施し、ＴＳに含まれる複数のＴＳパケットを１番目から最終番目までこの順に出力する（ステップＳ１１）。制御装置３の制御部７は、チューナＯＦＤＭ復調部１０からのＴＳパケットにより所定の処理を行う。
放送サービスパケット検出部２０は、チューナＯＦＤＭ復調部１０から１番目のＴＳパケットを受け取る。このとき、タイマー部３０は、カウントを開始する（ステップＳ１２）。
【００６６】
放送サービスパケット検出部２０は、指定のＰＩＤとして１ＦＦＦを認識している。即ち、部分受信放送サービスに関与するＴＳパケットが、指定のＰＩＤ（１ＦＦＦ）以外のＰＩＤを有するＴＳパケットであることを認識している。放送サービスパケット検出部２０は、チューナＯＦＤＭ復調部１０からのＴＳパケットが、指定のＰＩＤ（１ＦＦＦ）以外のＰＩＤを有するＴＳパケットであるか否かを表す検出結果を生成し、部分受信サービス存在判断部４０に出力する（ステップＳ１３）。
放送サービスパケット検出部２０は、指定のＰＩＤ（１ＦＦＦ）以外のＰＩＤを有するＴＳパケットを表す検出結果を生成／出力していない場合（ステップＳ１３−ＮＯ、Ｓ１４−ＮＯ）、チューナＯＦＤＭ復調部１０からの次のＴＳパケットに対して、上記のステップＳ１３を実行する。即ち、チューナＯＦＤＭ復調部１０からの次のＴＳパケットが、指定のＰＩＤ（１ＦＦＦ）以外のＰＩＤを有するＴＳパケットであるか否かを表す検出結果を生成し、部分受信サービス存在判断部４０に出力する。
【００６７】
タイマー部３０のカウント値が閾値を越える前に、指定のＰＩＤ（１ＦＦＦ）以外のＰＩＤを有するＴＳパケットを表す検出結果が出力されている（ステップＳ１３−ＹＥＳ）。この場合、部分受信サービス存在判断部４０は、ＴＳに部分受信放送サービスが存在する旨を表す通知を制御装置３に出力する（ステップＳ１５）。制御装置３の制御部７は、この通知により所定の処理として第１処理を実行する（ステップＳ１６）。
【００６８】
タイマー部３０のカウント値が閾値を越えるまでに、指定のＰＩＤ（１ＦＦＦ）以外のＰＩＤを有するＴＳパケットを表す検出結果が出力されていない（ステップＳ１３−ＮＯ、Ｓ１４−ＹＥＳ）。この場合、部分受信サービス存在判断部４０は、ＴＳに部分受信放送サービスが存在しない旨を表す通知を制御装置３に出力する（ステップＳ１７）。制御装置３の制御部７は、この通知により所定の処理として第２処理を実行する（ステップＳ１８）。
例えば、制御部７は、部分受信サービスが存在しないと判断したとき、第２処理として、チャンネルサーチを再度行う。この場合、制御部７は、第２処理として、複数の周波数の中の他の１つの周波数による放送電波を受信するようにチューナ（チューナＯＦＤＭ復調部１０）を制御し（ステップＳ１８）、受信機２は、上述のステップＳ１１〜Ｓ１８を実行する。
【００６９】
部分受信放送サービスの情報レートの最小値は２８０．８５ｋｂｐｓであり、その中で９０％以上は部分受信放送サービスに関与するＴＳパケットが含まれている。例えば、１０ＴＳパケットが伝送される時間中に、部分受信放送サービスに関与するＴＳパケットを検出する確率は、９９．９９９９９９９９％になる。そのため、タイマー部３０の閾値は１００ｍ秒程度でよい。
これにより、ＮＩＴの再送周期（最大５秒）を待たずに部分受信放送サービスが存在しないことを判断することができる。部分受信放送サービスの情報レートが３１２ｋｂｐｓである場合、１０ＴＳパケットを受信する時間は４８ｍ秒でＮＩＴの送出間隔１秒より早く部分受信放送サービスが行われていないことを判断することができる。
【００７０】
このように、本発明の第１実施形態による携帯端末１によれば、動作例１において、チャンネルサーチを従来｛ＮＩＴの再送周期（最大５秒）｝よりも迅速に行うことができる。
【００７１】
［動作例２］
図１０は、本発明の携帯端末１の動作として、動作例２を示すフローチャートである。
動作例２では、上述に対する変更点のみ説明する。動作例２では、動作例１におけるステップＳ１３に代えて、後述のステップＳ２１が実行される。
【００７２】
放送サービスパケット検出部２０は、ＰＩＤにおける設定下限値と設定上限値とを認識している。即ち、部分受信放送サービスに関与するＴＳパケットが、設定下限値より大きく設定上限値より小さいＰＩＤを有するＴＳパケットであることを認識している。放送サービスパケット検出部２０は、チューナＯＦＤＭ復調部１０からのＴＳパケットが、設定下限値より大きく設定上限値より小さいＰＩＤを有するＴＳパケットであるか否かを表す検出結果を生成し、部分受信サービス存在判断部４０に出力する（ステップＳ２１）。例えば、設定下限値を０ｘ００２９とし、設定上限値を０ｘ１ＦＦＦとした場合、放送サービスパケット検出部２０は、設定下限値より大きく設定上限値より小さいＰＩＤを有するＴＳパケットを表す検出結果を出力したとき、番組配列情報やヌルパケット（ＮＵＬＬパケット）以外のＴＳパケットを検出したことになる。
放送サービスパケット検出部２０は、設定下限値より大きく設定上限値より小さいＰＩＤを有するＴＳパケットを表す検出結果を生成／出力していない場合（ステップＳ２１−ＮＯ、Ｓ１４−ＮＯ）、チューナＯＦＤＭ復調部１０からの次のＴＳパケットに対して、上記のステップＳ２１を実行する。即ち、チューナＯＦＤＭ復調部１０からの次のＴＳパケットが、設定下限値より大きく設定上限値より小さいＰＩＤを有するＴＳパケットであるか否かを表す検出結果を生成し、部分受信サービス存在判断部４０に出力する。
【００７３】
タイマー部３０のカウント値が閾値を越える前に、設定下限値より大きく設定上限値より小さいＰＩＤを有するＴＳパケットを表す検出結果が出力されている（ステップＳ２１−ＹＥＳ）。この場合、部分受信サービス存在判断部４０は、上述のステップＳ１５、Ｓ１６を実行する。
タイマー部３０のカウント値が閾値を越えるまでに、設定下限値より大きく設定上限値より小さいＰＩＤを有するＴＳパケットを表す検出結果が出力されてない（ステップＳ２１−ＮＯ、Ｓ１４−ＹＥＳ）。この場合、部分受信サービス存在判断部４０は、上述のステップＳ１７、Ｓ１８を実行する。
【００７４】
上述のように、例えば、設定下限値を０ｘ００２９とし、設定上限値を０ｘ１ＦＦＦとした場合、放送サービスパケット検出部２０は、設定下限値より大きく設定上限値より小さいＰＩＤを有するＴＳパケットを表す検出結果を出力したとき、番組配列情報やヌルパケット（ＮＵＬＬパケット）以外のＴＳパケットを検出したことになる。
部分受信放送サービスの情報レートの最小値は２８０．８５ｋｂｐｓであり、その中で９０％以上は部分受信放送サービスに関与するＴＳパケットが含まれている。例えば、１０ＴＳパケットが伝送される時間中に、部分受信放送サービスに関与するＴＳパケットを検出する確率は、９９．９９９９９９９９％になる。また、部分受信放送サービスが行われていない場合、ＮＵＬＬパケットが９８．６９％含まれていて、部分受信放送サービスに関与するＴＳパケットは含まれていない。４ＴＳパケットが伝送される時間中に、部分受信放送サービスに関与するＴＳパケットを検出する確率は、０％になる。そのため、タイマー部３０の閾値は１００ｍ秒程度でよい。
これにより、ＮＩＴの再送周期（最大５秒）を待たずに部分受信放送サービスが存在しないことを判断することができる。部分受信放送サービスの情報レートが３１２ｋｂｐｓである場合、１０ＴＳパケットを受信する時間は４８ｍ秒でＮＩＴの送出間隔１秒より早く部分受信放送サービスが行われていないことを判断することができる。
【００７５】
このように、本発明の第１実施形態による携帯端末１によれば、動作例２において、チャンネルサーチを従来｛ＮＩＴの再送周期（最大５秒）｝よりも迅速に行うことができる。
【００７６】
［動作例３］
図１１は、本発明の携帯端末１の動作として、動作例３を示すフローチャートである。
動作例３では、上述に対する変更点のみ説明する。動作例３では、動作例１におけるステップＳ１３に代えて、後述のステップＳ３１が実行される。
【００７７】
放送サービスパケット検出部２０は、指定のＰＩＤとして１ＦＦＦを認識し、指定のｔｒａｎｓｐｏｒｔ＿ｅｒｒｏｒ＿ｉｎｄｉｃａｔｏｒとして０を認識している。即ち、部分受信放送サービスに関与するＴＳパケットが、指定のＰＩＤ（１ＦＦＦ）以外のＰＩＤを有し、且つ、ｔｒａｎｓｐｏｒｔ＿ｅｒｒｏｒ＿ｉｎｄｉｃａｔｏｒが０であるＴＳパケットであることを認識している。上述のように、ｔｒａｎｓｐｏｒｔ＿ｅｒｒｏｒ＿ｉｎｄｉｃａｔｏｒは１ビットのフラグであり、１に設定されている場合は少なくとも１ビットの訂正できないビットエラーがＴＳパケットに存在していることを示している。放送サービスパケット検出部２０は、チューナＯＦＤＭ復調部１０からのＴＳパケットが、指定のＰＩＤ（１ＦＦＦ）以外のＰＩＤを有し、且つ、ｔｒａｎｓｐｏｒｔ＿ｅｒｒｏｒ＿ｉｎｄｉｃａｔｏｒが０であるＴＳパケットであるか否かを表す検出結果を生成し、部分受信サービス存在判断部４０に出力する（ステップＳ３１）。
放送サービスパケット検出部２０は、指定のＰＩＤ（１ＦＦＦ）以外のＰＩＤを有し、且つ、ｔｒａｎｓｐｏｒｔ＿ｅｒｒｏｒ＿ｉｎｄｉｃａｔｏｒが０であるＴＳパケットを表す検出結果を生成／出力していない場合（ステップＳ３１−ＮＯ、Ｓ１４−ＮＯ）、チューナＯＦＤＭ復調部１０からの次のＴＳパケットに対して、上記のステップＳ３１を実行する。即ち、チューナＯＦＤＭ復調部１０からの次のＴＳパケットが、指定のＰＩＤ（１ＦＦＦ）以外のＰＩＤを有し、且つ、ｔｒａｎｓｐｏｒｔ＿ｅｒｒｏｒ＿ｉｎｄｉｃａｔｏｒが０であるＴＳパケットであるか否かを表す検出結果を生成し、部分受信サービス存在判断部４０に出力する。
【００７８】
タイマー部３０のカウント値が閾値を越える前に、指定のＰＩＤ（１ＦＦＦ）以外のＰＩＤを有し、且つ、ｔｒａｎｓｐｏｒｔ＿ｅｒｒｏｒ＿ｉｎｄｉｃａｔｏｒが０であるＴＳパケットを表す検出結果が出力されている（ステップＳ３１−ＹＥＳ）。この場合、部分受信サービス存在判断部４０は、上述のステップＳ１５、Ｓ１６を実行する。
タイマー部３０のカウント値が閾値を越えるまでに、指定のＰＩＤ（１ＦＦＦ）以外のＰＩＤを有し、且つ、ｔｒａｎｓｐｏｒｔ＿ｅｒｒｏｒ＿ｉｎｄｉｃａｔｏｒが０であるＴＳパケットを表す検出結果が出力されていない（ステップＳ３１−ＮＯ、Ｓ１４−ＹＥＳ）。この場合、部分受信サービス存在判断部４０は、上述のステップＳ１７、Ｓ１８を実行する。
【００７９】
このように、本発明の第１実施形態による携帯端末１によれば、動作例３において、上記の動作例１の効果に加えて、部分受信放送サービスに関与するＴＳパケットとしてビットエラーがないＴＳパケットを検出することができる。
【００８０】
［動作例４］
図１２は、本発明の携帯端末１の動作として、動作例４を示すフローチャートである。
動作例４では、上述に対する変更点のみ説明する。動作例４では、動作例２におけるステップＳ２１に代えて、後述のステップＳ４１が実行される。
【００８１】
放送サービスパケット検出部２０は、ＰＩＤにおける設定下限値と設定上限値とを認識し、指定のｔｒａｎｓｐｏｒｔ＿ｅｒｒｏｒ＿ｉｎｄｉｃａｔｏｒとして０を認識している。即ち、部分受信放送サービスに関与するＴＳパケットが、設定下限値より大きく設定上限値より小さいＰＩＤを有し、且つ、ｔｒａｎｓｐｏｒｔ＿ｅｒｒｏｒ＿ｉｎｄｉｃａｔｏｒが０であるＴＳパケットであることを認識している。放送サービスパケット検出部２０は、チューナＯＦＤＭ復調部１０からのＴＳパケットが、設定下限値より大きく設定上限値より小さいＰＩＤを有し、且つ、ｔｒａｎｓｐｏｒｔ＿ｅｒｒｏｒ＿ｉｎｄｉｃａｔｏｒが０であるＴＳパケットであるか否かを表す検出結果を生成し、部分受信サービス存在判断部４０に出力する（ステップＳ４１）。
放送サービスパケット検出部２０は、設定下限値より大きく設定上限値より小さいＰＩＤを有し、且つ、ｔｒａｎｓｐｏｒｔ＿ｅｒｒｏｒ＿ｉｎｄｉｃａｔｏｒが０であるＴＳパケットを表す検出結果を生成／出力していない場合（ステップＳ４１−ＮＯ、Ｓ１４−ＮＯ）、チューナＯＦＤＭ復調部１０からの次のＴＳパケットに対して、上記のステップＳ４１を実行する。即ち、チューナＯＦＤＭ復調部１０からの次のＴＳパケットが、設定下限値より大きく設定上限値より小さいＰＩＤを有し、且つ、ｔｒａｎｓｐｏｒｔ＿ｅｒｒｏｒ＿ｉｎｄｉｃａｔｏｒが０であるＴＳパケットであるか否かを表す検出結果を生成し、部分受信サービス存在判断部４０に出力する。
【００８２】
タイマー部３０のカウント値が閾値を越える前に、設定下限値より大きく設定上限値より小さいＰＩＤを有し、且つ、ｔｒａｎｓｐｏｒｔ＿ｅｒｒｏｒ＿ｉｎｄｉｃａｔｏｒが０であるＴＳパケットを表す検出結果が出力されている（ステップＳ４１−ＹＥＳ）。この場合、部分受信サービス存在判断部４０は、上述のステップＳ１５、Ｓ１６を実行する。
タイマー部３０のカウント値が閾値を越えるまでに、設定下限値より大きく設定上限値より小さいＰＩＤを有し、且つ、ｔｒａｎｓｐｏｒｔ＿ｅｒｒｏｒ＿ｉｎｄｉｃａｔｏｒが０であるＴＳパケットを表す検出結果が出力されていない（ステップＳ４１−ＮＯ、Ｓ１４−ＹＥＳ）。この場合、部分受信サービス存在判断部４０は、上述のステップＳ１７、Ｓ１８を実行する。
【００８３】
このように、本発明の第１実施形態による携帯端末１によれば、動作例４において、上記の動作例２の効果に加えて、部分受信放送サービスに関与するＴＳパケットとしてビットエラーがないＴＳパケットを検出することができる。
【００８４】
以上の構成により、本発明の第１実施形態による携帯端末１によれば、チャンネルサーチを従来｛ＮＩＴの再送周期（最大５秒）｝よりも迅速に行うことができる。
【００８５】
（第２実施形態）
第２実施形態では、第１実施形態に対する変更点のみ説明する。
【００８６】
図１３は、受信機２の構成を示すブロック図である。
チューナＯＦＤＭ復調部１０は、ＴＳパケットを出力するときに、同期信号を放送サービスパケット検出部２０に出力する。放送サービスパケット検出部２０は、この同期信号に応じて、チューナＯＦＤＭ復調部１０からのＴＳパケットを受け取る。これにより、本発明の第２実施形態による携帯端末１によれば、入出力のタイミングを第１実施形態のそれよりも確実に合わせることができる。
【００８７】
［動作例５］
図１４は、本発明の携帯端末１の動作として、動作例５を示すフローチャートである。
動作例５では、上述に対する変更点のみ説明する。動作例５では、動作例１、動作例３に対して、後述のステップＳ５１が更に実行される。例えば、動作例３に対して後述のステップＳ５１が更に実行される場合について説明する。
【００８８】
チューナＯＦＤＭ復調部１０は、地上デジタルテレビジョン放送によるＴＳを受信してＯＦＤＭ復調を施し、ＴＳに含まれる複数のＴＳパケットを１番目から最終番目までこの順に出力する（ステップＳ１１）。同時に、チューナＯＦＤＭ復調部１０は、複数のＴＳパケットを１番目から最終番目までこの順に出力するときに、同期信号を放送サービスパケット検出部２０に出力する（ステップＳ５１）。このとき、放送サービスパケット検出部２０は、同期信号によりチューナＯＦＤＭ復調部１０と同期状態になる。
放送サービスパケット検出部２０は、この同期信号に応じて、チューナＯＦＤＭ復調部１０からのＴＳパケットを受け取る。まず、同期信号に応じて、チューナＯＦＤＭ復調部１０から１番目のＴＳパケットを受け取る。このとき、タイマー部３０は、カウントを開始する（ステップＳ１２）。
その後、放送サービスパケット検出部２０は、上述のステップＳ３１を実行する。
【００８９】
このように、本発明の第２実施形態による携帯端末１によれば、動作例５において、上記の動作例１、３の効果に加えて、入出力のタイミングを第１実施形態のそれよりも確実に合わせることができる。
【００９０】
［動作例６］
図１５は、本発明の携帯端末１の動作として、動作例６を示すフローチャートである。
動作例６では、上述に対する変更点のみ説明する。動作例６では、動作例２、動作例４に対して、後述のステップＳ６１が更に実行される。例えば、動作例４に対して後述のステップＳ６１が更に実行される場合について説明する。
【００９１】
チューナＯＦＤＭ復調部１０は、地上デジタルテレビジョン放送によるＴＳを受信してＯＦＤＭ復調を施し、ＴＳに含まれる複数のＴＳパケットを１番目から最終番目までこの順に出力する（ステップＳ１１）。同時に、チューナＯＦＤＭ復調部１０は、ＴＳパケットを出力するときに、同期信号を放送サービスパケット検出部２０に出力する（ステップＳ６１）。このとき、放送サービスパケット検出部２０は、同期信号によりチューナＯＦＤＭ復調部１０と同期状態になる。
放送サービスパケット検出部２０は、この同期信号に応じて、チューナＯＦＤＭ復調部１０からのＴＳパケットを受け取る。まず、同期信号に応じて、チューナＯＦＤＭ復調部１０から１番目のＴＳパケットを受け取る。このとき、タイマー部３０は、カウントを開始する（ステップＳ１２）。
その後、放送サービスパケット検出部２０は、上述のステップＳ４１を実行する。
【００９２】
このように、本発明の第２実施形態による携帯端末１によれば、動作例６において、上記の動作例２、４の効果に加えて、入出力のタイミングを第１実施形態のそれよりも確実に合わせることができる。
【００９３】
（第３実施形態）
第３実施形態では、第２実施形態に対する変更点のみ説明する。
【００９４】
図１６は、受信機２の構成を示すブロック図である。受信機２は、更に、ＰＭＴ検出部５０と、ＰＭＴタイマー部６０とを具備している。チューナＯＦＤＭ復調部１０、放送サービスパケット検出部２０、タイマー部３０、部分受信サービス存在判断部４０、ＰＭＴ検出部５０、ＰＭＴタイマー部６０は、ハードウェア（例示；回路）又はソフトウェア（例示；コンピュータプログラム）により実現される。
【００９５】
チューナＯＦＤＭ復調部１０は、ＴＳパケットを出力するときに、同期信号を放送サービスパケット検出部２０、ＰＭＴ検出部５０に出力する。放送サービスパケット検出部２０、ＰＭＴ検出部５０は、この同期信号に応じて、チューナＯＦＤＭ復調部１０からのＴＳパケットを受け取る。これにより、入出力のタイミングを確実に合わせることができる。
【００９６】
ＰＭＴ検出部５０は、チューナＯＦＤＭ復調部１０からのＴＳパケットが、地上デジタルテレビジョン放送の前述のＰＭＴ（ｐｒｏｇｒａｍ  ｍａｐ  ｔａｂｌｅ）を有するＴＳパケットであるか否かを表すＰＭＴ検出結果を生成し、部分受信サービス存在判断部４０に出力する。
ＰＭＴタイマー部６０は、ＰＭＴ検出部５０がチューナＯＦＤＭ復調部１０から１番目のＴＳパケットを受け取ったときに、カウントを開始する。
部分受信サービス存在判断部４０は、タイマー部３０のカウント値が閾値を超える前に、部分受信放送サービスに関与するＴＳパケットを表す検出結果が出力されていても、ＰＭＴタイマー部６０のカウント値が閾値を超えるまでに、ＰＭＴを有するＴＳパケットを表すＰＭＴ検出結果が出力されない場合、ＴＳに部分受信放送サービスが存在しない旨を表す通知を制御装置３に出力する。
【００９７】
［動作例７］
図１７は、本発明の携帯端末１の動作として、動作例７を示すフローチャートである。
動作例７では、上述に対する変更点のみ説明する。動作例７では、動作例５に対して、後述のステップＳ７１、Ｓ７２が更に実行される。
【００９８】
チューナＯＦＤＭ復調部１０は、地上デジタルテレビジョン放送によるＴＳを受信してＯＦＤＭ復調を施し、ＴＳに含まれる複数のＴＳパケットを１番目から最終番目までこの順に出力する（ステップＳ１１）。同時に、チューナＯＦＤＭ復調部１０は、ＴＳパケットを出力するときに、同期信号を放送サービスパケット検出部２０、ＰＭＴ検出部５０に出力する（ステップＳ５１）。このとき、放送サービスパケット検出部２０、ＰＭＴ検出部５０は、同期信号によりチューナＯＦＤＭ復調部１０と同期状態になる。
【００９９】
放送サービスパケット検出部２０は、この同期信号に応じて、チューナＯＦＤＭ復調部１０からのＴＳパケットを受け取る。ＰＭＴ検出部５０は、同期信号に応じて、チューナＯＦＤＭ復調部１０からのＴＳパケットを受け取る。タイマー部３０、ＰＭＴタイマー部６０は、それぞれ、放送サービスパケット検出部２０、ＰＭＴ検出部５０が同期信号に応じてチューナＯＦＤＭ復調部１０から１番目のＴＳパケットを受け取ったとき、カウントを開始する（ステップＳ１２）。
その後、放送サービスパケット検出部２０は、上述のステップＳ３１を実行する。
【０１００】
ＰＭＴ検出部５０は、ＰＩＤにおける設定ＰＭＴ下限値と設定ＰＭＴ上限値とを認識し、指定のｔｒａｎｓｐｏｒｔ＿ｅｒｒｏｒ＿ｉｎｄｉｃａｔｏｒとして０を認識している。即ち、ＰＩＤを有するＴＳパケットが、設定ＰＭＴ下限値より大きく設定ＰＭＴ上限値より小さいＰＩＤを有し、且つ、ｔｒａｎｓｐｏｒｔ＿ｅｒｒｏｒ＿ｉｎｄｉｃａｔｏｒが０であるＴＳパケットであることを認識している。ＰＭＴ検出部５０は、チューナＯＦＤＭ復調部１０からのＴＳパケットが、設定ＰＭＴ下限値より大きく設定ＰＭＴ上限値より小さいＰＩＤを有し、且つ、ｔｒａｎｓｐｏｒｔ＿ｅｒｒｏｒ＿ｉｎｄｉｃａｔｏｒが０であるＴＳパケットであるか否かを表すＰＭＴ検出結果を生成し、部分受信サービス存在判断部４０に出力する（ステップＳ７１）。たとえば設定ＰＭＴ下限値を０ｘ１ＦＣ８とし、設定ＰＭＴ上限値を０ｘ１ＦＣＦとした場合（例えば図６参照）、ＰＭＴ検出部５０は、ＰＩＤが０ｘ１ＦＣ８以上かつ０ｘ１ＦＣＦ以下でｔｒａｎｓｐｏｒｔ＿ｅｒｒｏｒ＿ｉｎｄｉｃａｔｏｒが０であるＴＳパケットを検出する。
ＰＭＴ検出部５０は、設定ＰＭＴ下限値より大きく設定ＰＭＴ上限値より小さいＰＩＤを有し、且つ、ｔｒａｎｓｐｏｒｔ＿ｅｒｒｏｒ＿ｉｎｄｉｃａｔｏｒが０であるＴＳパケットを表すＰＭＴ検出結果を生成／出力していない場合（ステップＳ７１−ＮＯ、Ｓ７２−ＮＯ）、チューナＯＦＤＭ復調部１０からの次のＴＳパケットに対して、上記のステップＳ７１を実行する。即ち、チューナＯＦＤＭ復調部１０からの次のＴＳパケットが、設定ＰＭＴ下限値より大きく設定ＰＭＴ上限値より小さいＰＩＤを有し、且つ、ｔｒａｎｓｐｏｒｔ＿ｅｒｒｏｒ＿ｉｎｄｉｃａｔｏｒが０であるＴＳパケットであるか否かを表すＰＭＴ検出結果を生成し、部分受信サービス存在判断部４０に出力する。
【０１０１】
タイマー部３０のカウント値が閾値を越える前に、指定のＰＩＤ（１ＦＦＦ）以外のＰＩＤを有し、且つ、ｔｒａｎｓｐｏｒｔ＿ｅｒｒｏｒ＿ｉｎｄｉｃａｔｏｒが０であるＴＳパケットを表す検出結果が出力されている（ステップＳ３１−ＹＥＳ）。そして、ＰＭＴタイマー部６０のカウント値が閾値を越える前に、設定ＰＭＴ下限値より大きく設定ＰＭＴ上限値より小さいＰＩＤを有し、且つ、ｔｒａｎｓｐｏｒｔ＿ｅｒｒｏｒ＿ｉｎｄｉｃａｔｏｒが０であるＴＳパケットを表すＰＭＴ検出結果が出力されている（ステップＳ７１−ＹＥＳ）。この場合、部分受信サービス存在判断部４０は、ＴＳに部分受信放送サービスが存在する旨を表す通知を制御装置３に出力する（ステップＳ１５）。制御装置３の制御部７は、この通知により所定の処理として第１処理を実行する（ステップＳ１６）。
【０１０２】
タイマー部３０のカウント値が閾値を越えるまでに、指定のＰＩＤ（１ＦＦＦ）以外のＰＩＤを有し、且つ、ｔｒａｎｓｐｏｒｔ＿ｅｒｒｏｒ＿ｉｎｄｉｃａｔｏｒが０であるＴＳパケットを表す検出結果が出力されていない（ステップＳ３１−ＮＯ、Ｓ１４−ＹＥＳ）。この場合、部分受信サービス存在判断部４０は、ＴＳに部分受信放送サービスが存在しない旨を表す通知を制御装置３に出力する（ステップＳ１７）。制御装置３の制御部７は、この通知により所定の処理として第２処理を実行する（ステップＳ１８）。
あるいは、タイマー部３０のカウント値が閾値を越える前に、指定のＰＩＤ（１ＦＦＦ）以外のＰＩＤを有し、且つ、ｔｒａｎｓｐｏｒｔ＿ｅｒｒｏｒ＿ｉｎｄｉｃａｔｏｒが０であるＴＳパケットを表す検出結果が出力されている（ステップＳ３１−ＹＥＳ）。しかし、ＰＭＴタイマー部６０のカウント値が閾値を越えるまでに、設定ＰＭＴ下限値より大きく設定ＰＭＴ上限値より小さいＰＩＤを有し、且つ、ｔｒａｎｓｐｏｒｔ＿ｅｒｒｏｒ＿ｉｎｄｉｃａｔｏｒが０であるＴＳパケットを表すＰＭＴ検出結果が出力されていない（ステップＳ７１−ＮＯ、Ｓ７２−ＹＥＳ）。この場合でも、上記のステップＳ１７、Ｓ１８が実行される。
【０１０３】
部分受信放送サービスの情報レートの最小値は２８０．８５ｋｂｐｓであり、その中で９０％以上は部分受信放送サービスに関与するＴＳパケットが含まれている。例えば、１０ＴＳパケットが伝送される時間中に、部分受信放送サービスに関与するＴＳパケットを検出する確率は、９９．９９９９９９９９％になる。そのため、タイマー部３０の閾値は１００ｍ秒程度でよい。
また、ＰＭＴタイマー部６０の閾値については部分受信サービスのＰＭＴの最大再送周期５００ｍ秒程度に設定しておく。ＰＭＴについては放送番組を構成する符号化信号を伝送するＴＳパケットのＰＩＤを指定しておく。ＰＭＴ検出部５０が検出できないときは部分受信放送サービスが行われていないことを確実に判断することができる。
これにより、ＮＩＴの再送周期（最大５秒）を待たずに部分受信放送サービスが存在しないことを確実に判断することができる。
【０１０４】
このように、本発明の第３実施形態による携帯端末１によれば、動作例７において、上記の動作例１、３、５の効果に加えて、チャンネルサーチを従来｛ＮＩＴの再送周期（最大５秒）｝よりも迅速に且つ確実に行うことができる。
【０１０５】
［動作例８］
図１８は、本発明の携帯端末１の動作として、動作例８を示すフローチャートである。
動作例８では、上述に対する変更点のみ説明する。動作例８では、動作例６に対して、後述のステップＳ７１、Ｓ７２が更に実行される。即ち、動作例８では、動作例７におけるステップＳ５１、Ｓ３１に代えて、動作例６におけるステップＳ６１、Ｓ４１が実行される。
【０１０６】
このように、本発明の第３実施形態による携帯端末１によれば、動作例８において、上記の動作例２、４、６の効果に加えて、チャンネルサーチを従来｛ＮＩＴの再送周期（最大５秒）｝よりも迅速に且つ確実に行うことができる。
【０１０７】
以上の説明により、本発明の携帯端末１によれば、チャンネルサーチを従来よりも迅速に行うことができる。
【産業上の利用可能性】
【０１０８】
本発明によれば、地上デジタルテレビジョン放送の部分受信サービスが行われている周波数の特定に利用できる。
【図面の簡単な説明】
【０１０９】
【図１】図１（イ）（ロ）は、ＴＳ（トランスポートストリーム）の構造を示す図である。
【図２】図２は、ＴＳパケットのデータ構造を示す図である。
【図３】図３は、ＴＳの多重化モデルを示す図である。
【図４】図４は、ＰＩＤとテーブルとの対応関係を示している。
【図５】図５は、部分受信サービスを説明するための図である。
【図６】図６は、部分受信用のＰＭＴのＰＩＤを示す一覧である。
【図７】図７は、本発明の地上デジタルテレビジョン放送受信システムである、携帯端末１の構成を示している。（第１実施形態〜第３実施形態）
【図８】図８は、本発明の携帯端末１の受信機２の構成を示すブロック図である。（第１実施形態）
【図９】図９は、本発明の携帯端末１の動作として、動作例１を示すフローチャートである。（第１実施形態）
【図１０】図１０は、本発明の携帯端末１の動作として、動作例２を示すフローチャートである。（第１実施形態）
【図１１】図１１は、本発明の携帯端末１の動作として、動作例３を示すフローチャートである。（第１実施形態）
【図１２】図１２は、本発明の携帯端末１の動作として、動作例４を示すフローチャートである。（第１実施形態）
【図１３】図１３は、携帯端末１の受信機２の構成を示すブロック図である。（第２実施形態）
【図１４】図１４は、本発明の携帯端末１の動作として、動作例５を示すフローチャートである。（第２実施形態）
【図１５】図１５は、本発明の携帯端末１の動作として、動作例６を示すフローチャートである。（第２実施形態）
【図１６】図１６は、携帯端末１の受信機２の構成を示すブロック図である。（第３実施形態）
【図１７】図１７は、本発明の携帯端末１の動作として、動作例７を示すフローチャートである。（第３実施形態）
【図１８】図１８は、本発明の携帯端末１の動作として、動作例８を示すフローチャートである。（第３実施形態）
【符号の説明】
【０１１０】
１    携帯端末
２    受信機
３    制御装置
４    ＣＰＵ
５    記憶装置
６    コンピュータプログラム
７    制御部
１０    チューナＯＦＤＭ復調部
２０    放送サービスパケット検出部
３０    タイマー部
４０    部分受信サービス存在判断部
５０    ＰＭＴ検出部
６０    ＰＭＴタイマー部
【図１】
0004831469.tif 000002
【図２】
0004831469.tif 000003
【図３】
0004831469.tif 000004
【図４】
0004831469.tif 000005
【図５】
0004831469.tif 000006
【図６】
0004831469.tif 000007
【図７】
0004831469.tif 000008
【図８】
0004831469.tif 000009
【図９】
0004831469.tif 000010
【図１０】
0004831469.tif 000011
【図１１】
0004831469.tif 000012
【図１２】
0004831469.tif 000013
【図１３】
0004831469.tif 000014
【図１４】
0004831469.tif 000015
【図１５】
0004831469.tif 000016
【図１６】
0004831469.tif 000017
【図１７】
0004831469.tif 000018
【図１８】
0004831469.tif 000019